(57)【特許請求の範囲】
【請求項１】
エアゾール容器の頂部に突設されたバルブステムに装着された状態で押し下げ操作されることにより、エアゾール容器内の内容物を定量噴射させる定量弁付噴射ボタンであって、
噴射口に連通するノズル部が形成されている噴射ボタン本体に、円筒状の定量用弁室を形成する筒部が前記ノズル部を包囲して一体に形成され、
前記バルブステムに基部で嵌着し、かつ前記ノズル部の基端部に形成された環状弁体を閉鎖する弁座を先端部に形成する棒状の弁座部が、前記筒部の基端側の開口部から挿入されると共に、前記基部の外周面に前記筒部の内周面がシール状態で上下にスライド可能にガイドされ、
前記環状弁体を前記弁座から離反させて前記定量用弁室から前記ノズル部への弁口を形成するように、前記噴射ボタン本体及び前記弁座部間に弾性体が装着され、また前記バルブステム先端を前記定量用弁室に連通させる連通路が前記基部に形成され、
前記噴射ボタン本体を押し下げ操作すると、前記弾性体が圧縮されて前記弁口が閉鎖され、次いで前記バルブステムが下動して開口されることにより、内容物が前記連通路を通して前記定量用弁室に充填され、続いて前記噴射ボタン本体の押し下げ操作を解除すると、前記バルブステムが閉鎖されると共に前記弾性体の弾性復元力で前記弁口が開口されて前記定量用弁室に充填された内容物が噴射口から噴射されることを特徴とする定量弁付噴射ボタン。
【請求項２】
噴射ボタン本体に弁座部に保持されるように、この弁座部の基部の外周面及び筒部の内周面にスライド可能に係合する凹凸部が形成され、この凹部の上下方向の幅が前記凸部の幅よりもスライド範囲に応じて広いことを特徴とする請求項１記載の定量弁付噴射ボタン。
【発明の詳細な説明】
【０００１】
【発明の属する技術分野】
本発明は、エアゾール容器の頂部に突設されたバルブステムに装着された状態で押し下げ操作されることにより、エアゾール容器内の内容物を定量噴射させる定量弁付噴射ボタンに関するものである。
【０００２】
【従来の技術】
エアゾール容器用定量バルブとしては、エアゾール容器の頂部に設けられるバルブステム付きの噴射バルブのハウジングを定量用弁室として構成し、ステムが押下げ操作されると、ハウジングへの流入路を閉鎖することにより予め定量弁室に充填されていた内容物を噴射させるのが通常である。
【０００３】
【発明が解決しようとする課題】
したがって、通常のエアゾール容器を定量噴射式に使用する場合、内部の噴射バルブ自体が定量噴射専用に構成されているものを購入する必要があり、噴射バルブを共通にして出荷又は使用段階で定量噴射式に切換えるのは不可能であった。
【０００４】
本発明は、このような点に鑑みて、エアゾール容器の頂部に突設されたバルブステムに装着される噴射ボタンに、定量噴射機能を持たせた定量弁付噴射ボタンを提供することを目的とする。
【０００５】
【課題を解決するための手段】
本発明は、この目的を達成するために、請求項１により、エアゾール容器の頂部に突設されたバルブステムに装着された状態で押し下げ操作されることにより、エアゾール容器内の内容物を定量噴射させる定量弁付噴射ボタンであって、噴射口（２６ａ）に連通するノズル部（２５）が形成されている噴射ボタン本体（２０）に、円筒状の定量用弁室（２３）を形成する筒部（２９）がノズル部（２５）を一体に包囲して形成され、バルブステム（３）に基部（１１）で嵌着し、かつ前記ノズル部（２５）の基端部に形成された環状弁体（２７）を閉鎖する弁座（１７）を先端部に形成する棒状の弁座部（１０）が、筒部（２９）の基端側の開口部（２3ａ）から挿入されると共に、基部（１１）の外周面に筒部（２９）の内周面がシール状態で上下にスライド可能にガイドされ、環状弁体（２７）を弁座（１７）から離反させて定量用弁室（２３）からノズル部（２５）への弁口（１６）を形成するように、噴射ボタン本体（２０）及び弁座部（１０）間に弾性体（１５）が装着され、またバルブステム先端を定量用弁室（２３）に連通させる連通路（１４）が基部（１１）に形成され、噴射ボタン本体（２０）を押し下げ操作すると、弾性体（１５）が圧縮されて弁口（１６）が閉鎖され、次いでバルブステム（３）が下動して開口されることにより、内容物が連通路（１４）を通して定量用弁室（２３）に充填され、続いて噴射ボタン本体（２０）の押し下げ操作を解除すると、バルブステム（３）が閉鎖されると共に弾性体（１５）の弾性復元力で弁口（１６）が開口されて定量用弁室（２３）に充填された内容物が噴射口（２６ａ）から噴射されることを特徴とする。
【０００６】
噴射ボタン本体（２０）を弾性体（１５）の弾力に抗して押下げ操作すると、先ず弁口（１６）が閉鎖して弁座部（１０）が下動し、次いでバルブステム（３）の下動でその先端から内容物が定量用弁室（２３）へ連通路（１４）を通して充填される。押下げ操作を解除すると、バルブステム（３）がその上動により閉鎖され、次いで弾性体（１５）の弾性復帰力により弁口（１６）が開放されることにより、定量用弁室（２３）に充填されている加圧状態の内容物が噴射される。
【０００７】
【発明の実施の形態】
図１及び図２を基に本発明の実施の形態の一例による定量弁付噴射ボタンを説明する。定量弁付噴射ボタンは、図１に示すように、エアゾール容器１の頂部に装着されるマウンティングカップ２に突設されたバルブステム３に装着される。この定量弁付噴射ボタンは、ノズル部２５及び円筒状の定量用弁室２３を形成する円筒状の筒部２９が一体に形成された噴射ボタン本体２０に、定量用弁室２３の基端側の開口部２３ａから棒状の弁座部１０が挿入されて構成される。
【０００８】
噴射ボタン本体２０の上面部２４は操作部として形成されると共に、段差状の周面部２１には、横向きの噴射口２６ａを有する噴口部材２６が嵌入される凹部２１ａが形成されている。この凹部は、噴口部材２６の環状基部２６ｂを係入させ、かつノズル部２５の縦方向流路部２５ａに連通する横方向流路部２５ｂに連通している。円筒状の筒部２９は、周面部２１の内側に、バルブステム３と同軸状のノズル部２５を同心状に包囲するように形成されている。
【０００９】
弁座部１０は、バルブステム３に嵌着する凹状のステム嵌着部１１ａを有する基部１１に、弁座棒１２を先方へ突設して形成されている。この弁座棒の先端部には、ノズル部２５の基端部に形成された環状の弁体２７を閉鎖するテーパ状弁座１７が先端部に形成されている。弁体２７は、対応して基端側へ向けて内径が広くなる逆テーパ状に形成されている。噴射ボタン本体２０は、上下にスライド可能に弁座部１０に係合するように、基部１１の外周面及び筒部２９の内周面に凹凸部２３ｂ、１１ｂが形成されている。凹部２３ｂの縦幅は、上下方向のスライドを許容するように、その範囲に対応して凸部１１ｂよりも広く設定されている。さらに、このスライドがシール状態で行われるように、基部１１の先端外周部に、先方へ向けて環状のリップとして斜めに広がるシール部１９が形成されている。
【００１０】
弁体２７を弁座１７から離反させて定量用弁室２３からノズル部２５への環状の弁口１６を形成するように、ノズル部２５の外周の噴射ボタン本体２０の底面及び弁座棒１２の外周基部１１の上面のばね座間に、ノズル部２５及び弁座部１０を包囲してコイルばね１５が装着されている。コイルばね１５のばね力は、マウンティングカップ２内に構成されたバルブ内でバルブステム３を上方へ付勢しているばねのばね力よりも弱く設定されている。さらに、バルブステム３を定量用弁室２３に連通させるように、基部１１には、バルブステム３の先方に位置する内面から領域から定量用弁室２３に斜めに貫通する連通路１４が形成されている。
【００１１】
このように、定量用弁室２３、この弁室に収納された弁座部１０、噴射ボタン本体２０のノズル部２５の基端部に形成された弁体２７及びコイルばね１５により、噴射ボタン内に定量弁が構成されている。また、噴射ボタン本体２０に、別体のコイルばね１５を組み込み、さらに弁座部１０を凹凸部２３ｂ、１１ｂで係合させて定量弁付噴射ボタンとして組付けられる。
【００１２】
このように構成された定量弁付噴射ボタンの動作は次の通りである。噴射ボタン本体２０の上面部２４をコイルばね１５のばね力に抗して押下げ操作すると、先ず弁体２７が弁座１７に当接して弁口１６を閉鎖した状態で、弁座部１０が下動する。次いで、バルブステム３が下方へ駆動されてマウンティングカップ２内でステムガスケットでシールされていたステム孔が開口する。これにより、内容物が定量用弁室２３へ連通路１４を通して充填される。図２は、噴射ボタン本体２０が押下げ操作されて、定量用弁室２３に内容物が充填された状態を示す。
【００１３】
噴射ボタン本体２０の押下げ操作を解除すると、バルブステム３の上動によりそのステム孔が閉鎖されると共にコイルばね１５の弾性復帰力により噴射ボタン本体２０が弁座部１０よりも相対的に上方へ上昇する。これにより、弁口１６が開放されることにより、定量用弁室２３の容積に対応した定量の加圧状態の内容物が、ノズル部２５を通して噴射口２６ａから定量噴射される。
【００１４】
尚、前述の実施の形態において、噴射ボタン本体の定量用弁室を形成する筒部は、外側の同心状周面部を廃止して、円筒状筒部の外周面自体を噴射ボタン本体の外周面とする構造も考えられる。また、横向き噴射でなく、上向きのパイプ状ノズルの周囲に操作部を形成したスパウト型の噴射ボタンとして構成することもできる。
【００１５】
【発明の効果】
請求項１の発明によれば、押下げ操作により内容物を連続的に吐出する通常動作の噴射ボタンに代えて、押下げ操作ごとに定量噴射を行わせる定量弁付きの噴射ボタンが選択的にバルブステムに装着可能となる。請求項２の発明によれば、噴射ボタン本体に、別体の弁座部を組付け状態に係合させて定量弁付噴射ボタンが構成される。
【図面の簡単な説明】
【図１】本発明の実施の形態による定量弁付噴射ボタンの通常状態での断面図である。
【図２】同定量弁付噴射ボタンの動作を説明する断面図である。
【符号の説明】
３  バルブステム
１０  弁座部
１１  基部
１４  連通路
１６  弁口
１７  弁座
２０  噴射ボタン本体
２３  定量用弁室
２５  ノズル部
２６ａ  噴射口
２７  弁体
２９  筒部
【図１】
0004144688.tif 000002
【図２】
0004144688.tif 000003